(57)【要約】  【目的】スロットルポジションセンサ、アイドル位置検出スイッチ、絞り弁レバーを吸気制御本体の操作軸に容易に配置するとともに、前記センサ、スイッチの機械的当接部の防水、防泥を図る。  【構成】吸気制御本体１の一側１ａに突出する一側の操作軸３ａに、操作レバー５と平取り軸部３ｃを設け、それらの外周を筐体７にて囲繞する。アイドル検出スイッチ１０は筐体７内に回転不能に配置され、突子１５が操作レバー５に当接配置される。スロットルポジションセンサ２０は筐体７上に配置され、回転軸２１の平取り溝２２は筐体７内において操作軸３の平取り軸部３ｃと係合される。【選択図】図１
2005307913.tif 000002
【特許請求の範囲】
【請求項１】
吸気通路が穿設された吸気制御本体に、操作軸が回転自在に軸支され、操作軸の回転によって吸気通路に配置される絞り弁が吸気通路を開閉する吸気制御装置において、
吸気制御本体１の一側１ａに突出する一側の操作軸３ａに、操作レバー５と平取り軸部３ｃとを設けるとともに前記操作レバー、平取り軸部３ｃを含む一側の操作軸３ａの外周を、筐体７をもって囲繞し、
一方、端子１２ａ，１２ｂと、スイッチ体１３と、スイッチスプリング１４と、突子１５と、により形成されるアイドル位置検出スイッチ１０を、前記筐体７内に回転不能に位置決め配置するとともに筐体７内において突子１５を操作レバー５に当接配置し、
更に、基板上にプリントした抵抗体の上を摺動する開度検出ブラシと、前記開度検出ブラシに回転力を付与する回転軸２１と、により形成されるスロットルポジションセンサ２０を、筐体７上に配置し、前記回転軸の平取り溝２２を、筐体７内において操作軸３の平取り軸部３ｃと係合したことを特徴とする吸気制御装置における絞り弁開度検出装置。
【請求項２】
前記操作軸の他側３ｂを、吸気制御本体１の他側１ｂに突出して配置するとともに他側の操作軸３ｂに絞り弁レバー３０を取着し、絞り弁レバー３０を含む他側の操作軸３ｂの外周を第２筐体３２をもって囲繞したことを特徴とする請求項１記載の吸気制御装置における絞り弁開度検出装置。
【発明の詳細な説明】
【技術分野】
【０００１】
本発明は、機関へ供給される空気量を制御する吸気制御装置に関し、そのうち吸気通路の開口面積を制御する絞り弁の開度を電気的に検出し、この電気信号を外部に向けて出力する吸気制御装置における絞り弁開度検出装置に関する。
【背景技術】
【０００２】
吸気制御装置における絞り弁開度検出装置としてスロットルポジションセンサと、アイドル位置検出スイッチとがある。
スロットルポジションセンサは、吸気制御装置に取りつけられて吸気通路を開閉する絞り弁の開度を検出するセンサであり、スロットルポジションセンサにて検出された信号は例えばＥＣＵに向けて出力される。
スロットルポジションセンサは、例えば基板上にプリントした抵抗体の上にブラシを摺動自在に配置し、このブラシを絞り弁と同期的に回転させたもので、絞り弁の開度に応じたリニアな出力電圧をＥＣＵに向けて出力する。
かかるスロットルポジションセンサは特開平６−２８１４７４号公報に開示される。
又、アイドル位置検出センサは、吸気制御装置に取りつけられて、吸気通路を開閉する絞り弁のアイドリング開度を検出するＯＮ−ＯＦＦ型の検出センサであり、絞り弁のアイドリング開度時においてＯＮ信号を出力し、アイドリング開度以外の開度においてＯＦＦ信号を出力する。
このアイドル位置検出センサは、スイッチ本体内に一対の端子と、一対の端子に対応配置され、両端子を開閉するスイッチ体と、スイッチ体を一対の端子より離す側に付勢するスイッチスプリングと、スイッチ体と一体的に形成され、スイッチ本体より外部に向かって突出する突子とにより形成され、スイッチ本体が吸気制御装置に取りつけられる。
かかるアイドル位置検出装置は、特公昭６３−３８５３０号公報に開示される。
【特許文献１】特開平６−２８１４７４号公報
【特許文献２】特公昭６３−３８５３０号公報
【発明の開示】
【発明が解決しようとする課題】
【０００３】
かかる吸気制御装置において、吸気通路を開閉する絞り弁を操作する操作軸は吸気制御本体に回転自在に軸支され、この操作軸に対応して前記スロットルポジションセンサと、アイドル位置検出センサと、絞り弁レバーとが配置される。
この絞り弁レバーには運転者が操作するアクセルレバー（アクセルグリップ）の回転が操作ワイヤーを介して伝達されるもので、絞り弁レバーの回転によって操作軸が回転操作され、絞り弁が吸気通路を開閉制御する。
一方前記、操作軸は吸気制御本体に回転自在に軸支され、操作軸の一端は吸気制御本体の一側に突出して配置され、操作軸の他端は吸気制御本体の他側に突出して配置される。
そして、前記によれば、操作軸には、スロットルポジションセンサ、アイドル位置検出センサ、絞り弁レバーの三要素の構成を配置する必要があり、一方操作軸はその一端と他端に２ヶ所の取りつけ部分を備えるものである。
以上によると、２ヶ所の取りつけ部分に三要素の構成を配置することが要求されるもので、その配置の設定が困難なものである。
【０００４】
本発明は前記課題に鑑み成されたもので、スロットルポジションセンサ、アイドル位置検出スイッチ及び絞り弁レバーを吸気制御本体の操作軸に容易に配置すること。及びスロットルポジションセンサ、アイドル位置検出スイッチの機械的当接部分の防水及び防泥を向上すること。更には前記各センサを機関へ搭載した際における電気接続性を向上すること。のできる吸気制御装置における絞り弁開度検出装置を提供することを目的とする。
【課題を解決するための手段】
【０００５】
本発明になる吸気制御装置における絞り弁開度検出装置は、前記目的達成の為に、吸気通路が穿設された吸気制御本体に、操作軸が回転自在に軸支され、操作軸の回転によって吸気通路に配置される絞り弁が吸気通路を開閉する吸気制御装置において、
吸気制御本体の一側に突出する一側の操作軸に、操作レバーと平取り軸部とを設けるとともに前記操作レバー、平取り軸部を含む一側の操作軸の外周を、筐体をもって囲繞し、
一方、端子と、スイッチ体と、スイッチスプリングと、突子と、により形成されるアイドル位置検出スイッチを、前記筐体内に回転不能に位置決め配置するとともに筐体内において突子を操作レバーに当接配置し、
更に、基板上にプリントした抵抗体の上を摺動する開度検出ブラシと、前記開度検出ブラシに回転力を付与する回転軸と、により形成されるスロットルポジションセンサを、筐体上に配置し、前記回転軸の平取り溝を、筐体内において操作軸の平取り軸部と係合したことを第１の特徴とする。
【０００６】
又、本発明は、前記第１の特徴に加え、前記操作軸の他側を、吸気制御本体の他側に突出して配置するとともに他側の操作軸に絞り弁レバーを取着し、絞り弁レバーを含む他側の操作軸の外周を第２筐体をもって囲繞したことを第２の特徴とする。
【発明の効果】
【０００７】
本発明の第１の特徴によると、操作レバー、平取り軸部を含む一側の操作軸が吸気制御本体の一側に突出して配置され操作レバー、平取り部を含む一側の操作軸の外周が筐体によって囲繞される。アイドル位置検出スイッチは筐体内に配置されるとともにアイドル位置検出スイッチの突子は筐体内において操作レバーに当接配置される。
又、スロットルポジションセンサは筐体上に配置され、スロットルポジションセンサの回転軸の平取り溝は筐体内において操作軸の平取り軸部に係合される。
【０００８】
以上によると、一側の操作軸に対して、アイドル位置検出スイッチとスロットルポジションセンサとの二要素の構成を配置したので、他側の操作軸にし彫り弁レバーのみを配置すればよく、操作軸に対する三要素の構成の配置性を向上できる。
又、操作レバーとアイドル位置検出スイッチの突子との当接部及びスロットルポジションセンサの回転軸の平取り溝と操作軸の平取り軸部との係合部が筐体の内方に位置できるので、それら当接部、係合部における防水、防泥を完全に行なうことができ、スイッチ、センサを長期に渡って安定使用できる。
又、アイドル位置検出スイッチの突子が操作軸と同期的に回転する操作レバーに当接配置したことによるとアイドル位置検出スイッチは操作軸の外周方向に配置され、一方、スロットルポジションセンサは操作軸の長手軸心方向に配置されるので前記スイッチ及びセンサの配置をコンパクトにまとめることができる。
更にスロットルポジションセンサが筐体上に配置されるので、スロットルポジションセンサを取りつける為の部材を特別に設ける必要がない。
更に又、スロットルポジションセンサ及びアイドル位置検出スイッチのリード線を吸気制御本体の一側に取り出すことができるので、電気接続作業性を向上できる。
【０００９】
本発明の第２の特徴によると、他側の操作軸に絞り弁レバーが取着され、絞り弁レバーを含む他側の操作軸の外周が第２筐体によって囲繞される。
これによると、絞り弁レバー部の防水、防泥を完全に行なうことができ、前記第１の特徴によるスロットルポジションセンサ、アイドル位置検出スイッチの防水、防泥作用とあいまって操作軸に関連する安全性を長期間に渡って保証できる。
【発明を実施するための最良の形態】
【００１０】
以下、本発明になる吸気制御装置における絞り弁開度検出装置の一実施例を図により説明する。
図１は側面図であって、筐体を構成するカバーを取外した状態を示す。
図２は図１のＡ−Ａ線における縦断面図である。
１は内部を吸気通路２が貫通して穿設された吸気制御本体であり、例えばスロットルボデー、気化器本体がこれに相当する。
３は吸気通路２を開閉する絞り弁４を操作する操作軸であり、操作軸３は吸気制御本体１に回転自在に軸支される。
この操作軸３の一側３ａは吸気制御本体１の一側１ａより外側方に向かって突出し、操作軸３の他側３ｂは吸気制御本体１の他側１ｂより外側方に向かって突出する。
本実施例における操作軸３は、吸気通路２を横断して配置され、この操作軸３に絞り弁４が直接的に取着されたものが示されるが、吸気通路２を摺動絞り弁にて開閉し、この摺動絞り弁をリンクによって操作軸３に連結した、いわゆるリンク式の操作軸であってもよい。
再び操作軸３に戻すと、一側の操作軸３ａには操作レバー５がナット６によって固定配置され、更に操作レバー５より外方に突出する操作軸３ａには、二面取りした平取り軸部３ｃが形成される。
そして、前記操作レバー、平取り軸部３ｃを含む一側の操作軸３ａの外周は筐体７によって囲繞される。
筐体７は有底カップ状のカップ部７ａと、カップ部７ａの開口を閉塞するカバー７ｂとによって形成され、例えばカップ部７ａの外周からのびる鍔部（図示せず）を介して吸気制御本体１の一側１ａに螺着される。
【００１１】
アイドル位置検出スイッチ１０は以下によって形成される。
１１はスイッチケースであり、スイッチケース内には２個の端子１２ａ，１２ｂが固定配置される。
１３は導電性材料によって形成されたカップ状のスイッチ体であり、このスイッチ体１３はスイッチスプリング１４によって端子１２ａ，１２ｂより離れる側に付勢される。
又、スイッチ体１３には、突子１５が一体的に形成されるもので、この突子１５はスイッチケース１１より外方に向かって突出して配置される。
又、前記端子１２ａ，１２ｂにはそれぞれリード線１６ａ，１６ｂが接続されるものでこのリード線１６ａ，１６ｂはグロメット１７を介して筐体７外へと引出される。
前記アイドル位置検出スイッチ１０は、筐体７内に配置されるもので、このときスイッチケース１１の回転方向移動は筐体７内に形成される規制壁７ｃにスイッチケース１１の側壁を当接配置することによって規制される。
尚、スイッチケース１１の長手方向Ｘ−Ｘの移動は許容される。
又、スイッチケース１１はスイッチスプリング１８により突子１５が操作レバー５に当接するよう付勢される。
１９はアイドルアジャストスクリューであって、筐体７に穿設されるガイド孔７ｄ内に挿入配置され、先端部のオネジ１９ａがスイッチケース１１に穿設されたメネジ１１ａに螺着される。
又、１９ｂは、筐体７内のアイドルアジャストスクリュー１９に固定配置された規制片であり、１９ｃは筐体７の外周とアイドルアジャストスクリュー１９の後端に形成されるツマミ部１９ｄとの間に縮設されるアイドルスクリュースプリングである。
このアイドルスクリュースプリング１９ｃのバネ力はスイッチケーススプリング１８のバネ力より強いバネ力を有するもので、これによるとアイドルアジャストスクリュー１９は図１において右方へ押圧され、規制片１９ｂが筐体７の内壁７ｅに当接してスイッチケース１１を含むアイドルアジャストスクリュー１９の右方向移動が規制される。
尚、前述した突子１５及びアイドルアジャストスクリュー１９は前記長手方向Ｘ−Ｘ上に配置される。
【００１２】
２０はスロットルポジションセンサであり、基板上にプリントした抵抗体の上を摺動する開度検出ブラシ（図示せず）と開度検出ブラシに回転力を付与する回転軸２１とを備え、回転軸２１には平取り溝２２が穿設される。
尚、スロットルポジションセンサ２０の電気信号は、リード線２３ａ，２３ｂを介して外部へ出力される。
かかるスロットルポジションセンサ２０はカバー７ｂ上に配置されるとともに回転軸２１が筐体７内に臨んで開口配置され、このとき一側の操作軸３ａの平取り軸部３ｃがスロットルポジションセンサ２０の平取り溝２２内に係合配置される。
【００１３】
又、３０は、他側の操作軸３ｂに取着された絞り弁レバーであり、他側の操作軸３ｂ、絞り弁レバー３０及び操作軸３ｂに絞り弁閉方向側のバネ力を付与する絞り弁リターンスプリング３１は吸気制御本体１の他側１ｂに形成される第２筐体３２によって囲繞される。
かかる絞り弁レバー３０は図示せぬ開口を介してアクセルワイヤーに接続され、アクセルワイヤーの他端は運転者によって操作されるアクセルレバー（アクセルグリップ）に接続される。
前記第２筐体３２は有底状のカップ部３２ａと、該開口を閉塞するカバー３２ｂとにより形成される。
【００１４】
次にその作用について説明する。
絞り弁４の最低アイドリング開度は以下によって設定される。
アイドルアジャストスクリュー１９のツマミ部１９ｄを例えば時計方向に回転する。
これによると、スイッチケース１１は長手方向Ｘ−Ｘにおいて左方へ移動するもので、突子１５もまたスイッチケース１１と同期して左方へ移動し、操作レバー５を時計方向に回転させて絞り弁４を開放してアイドリング開度を決定する。
一方、絞り弁４のアイドリング開度を閉塞する側へ制御する際には、アイドルアジャストスクリュー１９のツマミ部１９ｄを反時計方向に回転してスイッチケース１１を長手方向Ｘ−Ｘにおいて右方へ移動させる。これによると突子１５はスイッチケース１１と同期して右方へ移動するもので、操作レバー５は反時計方向に回転して絞り弁４を閉塞側へ制御できる。
以上によって絞り弁４のアイドリング開度の調整が行なわれるもので、かかる絞り弁４のアイドリング開度時において、端子１２ａ，１２ｂと突子１５を含むスイッチ体１３とは機械的に当接して配置され、一方操作レバー５は絞り弁リターンスプリング３１のバネ力によって反時計方向（絞り弁４の閉方向側）へ押圧されるので、操作レバー５の端部５ａと突子１５とは当接状態に保持される。
従って、端子１２ａと１２ｂとはスイッチ体１３によって電気的に接続されるのでリード線１６ａ，１６ｂからＯＮ符号を外部に出力でき、もって絞り弁４がアイドリング開度にセットされていることを伝達できる。
【００１５】
一方、前記絞り弁のアイドリング状態から、絞り弁レバー３０が運転者によって開放操作され、操作レバー５が図１において時計方向に回転されると、操作レバー５の端部５ａによる突子１５に対する押圧が解除される。
これによるとアイドル位置検出スイッチ１０の突子１５を含むスイッチ体１３は図１において左方へ移動し、端子１２ｃ，１２ｄとスイッチ体１３の接続が解除され、これによってリード線１６ａ，１６ｂよりＯＦＦ信号を外部に出力でき、もって絞り弁４がアイドリング開度以上に開放されたことを伝達できる。
【００１６】
又、スロットルポジションセンサ２０においては、操作軸３の回転が平取り軸部３ｃ、平取り溝２２を介して回転軸２１に伝達されるもので、操作軸３の回転、いいかえると絞り弁４の開度に応じた電気信号をリード線２３ａ，２３ｂを介して外部へ出力できる。
【００１７】
以上の如く、本発明によると、一側の操作軸３ａにアイドル検出スイッチ１０とスロットルポジションセンサ２０を配置したので、他側の操作軸３ｂには絞り弁レバー３０のみを配置すればよいので、操作軸３に対するアイドル検出スイッチ１０、スロットルポジションセンサ２０、絞り弁レバー３０の三要素の構成を容易に配置することができる。
又、アイドル位置検出スイッチ１０は操作軸３とともに回転する操作レバー５の端部５ａに対向配置したことによって操作軸３の外周方向に配置され、一方スロットルポジションセンサ２０の回転軸２１が操作軸３の長手軸心方向に配置されるので前記アイドル位置検出スイッチとスロットルポジションセンサ２０を近接配置でき、それらをコンパクトにまとめることができる。
又、操作レバー５の端部５ａとアイドル位置検出スイッチ１０の突子１５との当接部及び操作軸３の平取り軸部３ｃとスロットルポジションセンサ２０の平取り溝２２の係合部とを共に閉塞された筐体７の内方に配置したことにより当接部、係合部における防水、防泥を完全に行なうことができて、前記スイッチセンサを長期間に渡って安定使用できる。
又、一側の操作軸３ａとそれを軸支する軸ガイド孔１ｃ及び他側の操作軸３ｂとそれを軸支する軸ガイド孔１ｄが筐体７及び第２筐体３２内に配置されるので、それら支持部分に水、泥が進入することがなく、操作軸３の摩耗を大きく低減できる。
更に、スロットルポジションセンサ２０が筐体７を構成するカバー７ｂに取着されるので、スロットルポジションセンサ２０を取りつける為の特別新規な部材を必要としない。
更に又、アイドル位置検出スイッチ１０のリード線１６ａ，１６ｂ及びスロットルポジションセンサ２０のリード線２３ａ，２３ｂを吸気制御本体１の一側１ａに集中して配置したので、機関への搭載時においてＥＣＵ、バッテリー等への電気接続作業性を向上できる。
更に又、絞り弁レバー３０、絞り弁リターンスプリング２１、他側の操作軸３ｂを第２筐体３２内に配置したことによると、これら部材の防水、防泥が完全に行なわれるもので、前述したアイドル位置検出スイッチ１０、スロットルポジションセンサ２０の防水、防泥とあいまって長期間に渡って安定した性能を維持できる。
以上述べた効果は特に悪路を走行する二輪車、四輪車、塩水が飛散する船外機、泥が飛散する汎用機において顕著なものである。
【図面の簡単な説明】
【００１８】
【図１】本発明の吸気制御装置における絞り弁開度検出装置の一実施例を示す側面図。
【図２】図１のＡ−Ａ線における横断面図。
【符号の説明】
【００１９】
１        吸気制御本体
３        操作軸
３ａ      一側の操作軸
３ｂ      他側の操作軸
３ｃ      平取り軸部
５        操作レバー
７        筐体
１０      アイドル位置検出スイッチ
１５      突子
２０      スロットルポジションセンサ
２１      回転軸
２２      平取り溝
【図１】
2005307913.tif 000003
【図２】
2005307913.tif 000004